(57)【特許請求の範囲】
【請求項１】
本体部と、
前記本体部に対して摺動するように当該本体部と係合し、押下操作可能に構成された押しボタン部材と、
前記本体部と前記押しボタン部材とによって形成される内部空間に収納され、少なくとも当該押しボタン部材の操作にともないオン状態に切り替えるスイッチが実装された基板と、
前記本体部と前記押しボタン部材とによって形成される内部空間に収納され、前記本体部の上面と接合して前記押しボタン部材と前記基板との間に当該基板の全体を覆うように介設された中カバー部材とを備え、
前記中カバー部材は、所定の防水性を有する基体の最上面に、前記押しボタン部材を上方に付勢するとともに、当該前記押しボタン部材の押下操作を前記スイッチに伝達するための弾性体としてのバネが当該基体と一体成型され、
前記本体部の上面には、前記中カバー部材との接合部の内側近傍領域であって前記基板の主面よりも大きい領域の周囲にわたって、凸状の防水壁が設けられていること
を特徴とするワイヤレス送信器。
【請求項２】
前記本体部には、前記中カバー部材との接合部よりも高い位置に前記基板を支持するための基板支持部材が設けられていること
を特徴とする請求項１記載のワイヤレス送信器。
【発明の詳細な説明】
【技術分野】
【０００１】
本発明は、客席等に設置して従業員等の呼び出しを行うワイヤレス送信器に関する。
【背景技術】
【０００２】
従来から、飲食店等においては、顧客に対する従業員の迅速な応対を目的として、客席の卓上毎に、所定の押しボタンの押下に応じて呼出信号を送信するワイヤレス送信器を設け、このワイヤレス送信器からの呼出信号を所定のワイヤレス受信器によって受信することにより、呼び出しがあった旨を従業員に通知するワイヤレスコールシステムが使用されている（例えば、特許文献１等参照。）。
【０００３】
飲食店等のサービス提供者は、このようなワイヤレスコールシステムを利用することにより、最低限、顧客からの要求があった場合に接客等の各種サービスを提供すればよいため、必要以上に従業員を雇うことを回避することができ、経営上の無駄なコストを削減することができる。また、従業員が、顧客の要求に迅速に対応することが可能となることから、来店した顧客のサービスに対する満足度が向上し、営業上の大きなメリットを獲得することができる。
【特許文献１】特開平９−２１２７５４号公報
【発明の開示】
【発明が解決しようとする課題】
【０００４】
ところで、上述したワイヤレスコールシステムに使用されるワイヤレス送信器は、客席の卓上に載置されて使用されるものである。そのため、ワイヤレス送信器は、顧客による飲食等の動作に起因して生じる不都合に対する耐性を高める必要がある。
【０００５】
しかしながら、従来のワイヤレス送信器においては、顧客が卓上で飲食物や調味料等を溢した場合等には、押しボタンの摺動部位等から水分が浸入し、内部に設けられた基板が腐食してしまうという問題があった。また、このような問題に対応するために、弾性を有するシート材等の別部材を設けることによって基板の防水を図ることも考えられるが、かかる別部材を設けた防水構造とした場合には、別部材を設けることによる製造コストの高騰を招来するという他の問題が生じることになる。
【０００６】
そこで、本発明は、上述した実情に鑑みて提案されたものであり、低コストでありながら、内部への水分の浸入を確実に防止することができるワイヤレス送信器を提供することを目的とする。
【課題を解決するための手段】
【０００７】
本発明に係るワイヤレス送信器は、本体部と押しボタン部材とによって形成される内部空間に、少なくとも当該押しボタン部材の操作にともないオン状態に切り替えるスイッチが実装された基板と、本体部と接合して押しボタン部材と基板との間に当該基板の全体を覆うように介設された中カバー部材とを備える。そして、本発明に係るワイヤレス送信器においては、中カバー部材として、所定の防水性を有する基体の最上面に、押しボタン部材を上方に付勢するとともに、当該押しボタン部材の押下操作をスイッチに伝達するための弾性体としてのバネが当該基体と一体成型されたものを用いることで、上述の課題を解決する。
【発明の効果】
【０００８】
本発明に係るワイヤレス送信器によれば、中カバー部材によって基板の全体を覆うことにより、基板への水分の浸入を確実に防止することができる。また、本発明に係るワイヤレス送信器においては、基体とバネとが一体成型された中カバー部材を用いることから、別部材としてのバネを設ける必要がなく、低コストでありながら、高い防水性能を発揮することができる。
【発明を実施するための最良の形態】
【０００９】
以下、本発明の実施の形態について図面を参照して説明する。
【００１０】
［実施形態に係るワイヤレス送信器の概略構成］
この実施形態に係るワイヤレス送信器は、図１(ａ)乃至図１(ｃ)に示すように、略楕円状の底面を有するドーム状の筐体によって外観が形成されている。この筐体は、下部を形成する本体部１１と、この本体部１１の上面を覆うように配設された押しボタン部材１２とに大別されて構成される。
【００１１】
このようなワイヤレス送信器は、操作者が押しボタン部材１２を押下操作するのに応じて、当該ワイヤレス送信器を識別するための識別情報を含む無線信号を所定のワイヤレス受信器に対して送信することにより、操作者が従業員等を呼んでいる旨を知らせる。また、ワイヤレス送信器は、押しボタン部材１２が押下されたことを操作者自身が確認できるように、当該押しボタン部材１２が押下操作されるのに応じて、所定の通知音を出力したり、所定の光源による点灯動作を行ったりすることが可能に構成される。
【００１２】
［実施形態に係るワイヤレス送信器の詳細構成］
このようなワイヤレス送信器は、具体的には、図２に分解斜視図、及び図３に図２中Ｘ−Ｘ断面図を示すように構成される。
【００１３】
本体部１１は、後述する基板２１を支持するベース部材１３を備える。このベース部材１３の底部は、当該ワイヤレス送信器の駆動電力を供給する一次電池１４が装着される電池ケースとして構成され、この電池ケースは、所定の蓋部材１５が取り付けられることによって閉塞される。また、このベース部材１３には、支持している基板２１への水分の浸入を防止するために、後述する中カバー部材２２との接合部の内側近傍領域であって基板２１の主面よりも大きい領域の周囲にわたって、凸状の防水壁１６が設けられている。
【００１４】
また、押しボタン部材１２は、凸曲面状の主面を有し、本体部１１に対して摺動するように当該本体部１１と係合することにより、当該本体部１１の上面を覆いつつ押下可能に構成される。
【００１５】
このような本体部１１と押しボタン部材１２とによって形成される内部空間には、押しボタン部材１２が押下操作されるのに応じて無線信号を送信する電子部品等が実装された基板２１と、この基板２１の全体を覆うように配設された中カバー部材２２とが収納されている。
【００１６】
基板２１は、ベース部材１３に設けられたネジ穴１７に挿入される所定のネジ２３等を介して、ベース部材１３に取り付けられる。ここで、ベース部材１３には、基板２１を支持するための基板支持部材１８が設けられている。基板２１は、この基板支持部材１８により、ベース部材１３と中カバー部材２２との接合部よりも高い位置に支持される。
【００１７】
また、基板２１には、少なくともスイッチ２４が実装されている。このスイッチ２４は、押しボタン部材１２が押下操作されるのに応じて、オン状態に切り替えられる。ワイヤレス送信器は、このスイッチ２４がオン状態に切り替えられるのに応じて、電池ケースに装着された一次電池１４から供給される駆動電力に基づいて、無線信号の送信を行うとともに、所定の通知音の出力や光源による点灯動作等を行う。なお、基板２１は、このスイッチ２４が押しボタン部材１２の主面略中央に位置するように、ベース部材１３に取り付けられる。
【００１８】
中カバー部材２２は、所定のネジ２５等を介して本体部１１におけるベース部材１３と接合することにより、押しボタン部材１２と基板２１との間に当該基板２１の全体を覆うように介設される。この中カバー部材２２は、所定の防水性を有する基体２６と、この基体２６の最上面に当該基体２６と一体成型された渦巻状のバネ２７と、バネ２７の渦巻き中心位置にバネ２７とともに一体成型され、バネ２７の付勢力を伝える突起受け部２７Ａとからなり、通常時は、このバネ２７によって突起受け部２７Ａを介して押しボタン部材１２を上方に付勢している。
【００１９】
そして、中カバー部材２２は、押しボタン部材１２が押下操作されるのに応じて、当該押しボタン部材１２の裏面に設けられた突起１２ａによって突起受け部２７Ａを下方に押下することにより、突起受け部２７Ａがバネ２７の付勢力に抗して下方に変位し、基板２１上に実装されたスイッチ２４に当接するように動作する。また、中カバー部材２２は、押しボタン部材１２の押下が解除されるのに応じて、バネ２７の付勢力によって突起受け部２７Ａを上方に変位させることにより、スイッチ２４から離れるように動作する。すなわち、ワイヤレス送信器においては、押しボタン部材１２を上方に付勢するとともに、当該押しボタン部材１２の押下操作をスイッチ２４に伝達するための弾性体として、中カバー部材２２とは別個のバネ部材を設けるのではなく、当該中カバー部材２２と一体成型されたバネ２７、突起受け部２７Ａを設けている。
【００２０】
このような構造からなるワイヤレス送信器においては、押しボタン部材１２が押下操作されるのに応じて、基板２１の全体を覆う中カバー部材２２にバネ２７とともに一体成型された突起受け部２７Ａが下方に変位し、変位した突起受け部２７Ａによってスイッチ２４を押下することにより、当該スイッチ２４がオフ状態からオン状態へと切り替わる。これにより、ワイヤレス送信器においては、無線信号の送信、通知音の出力、及び光源による点灯動作が行われる。
【００２１】
［実施形態の効果］
以上詳細に説明したように、実施形態に係るワイヤレス送信器は、本体部１１と押しボタン部材１２とによって形成される内部空間に、少なくとも当該押しボタン部材１２の操作にともないオン状態に切り替えるスイッチ２４が実装された基板２１と、本体部１１と接合して押しボタン部材１２と基板２１との間に当該基板２１の全体を覆うように介設された中カバー部材２２とを備える。そして、このワイヤレス送信器においては、中カバー部材２２として、所定の防水性を有する基体２６の最上面に、押しボタン部材１２を上方に付勢するとともに、当該押しボタン部材１２の押下操作をスイッチ２４に伝達するための弾性体としてのバネ２７、突起受け部２７Ａが当該基体２６と一体成型されたものを用いる。
【００２２】
これにより、このワイヤレス送信器においては、中カバー部材２２によって基板２１の全体を覆うことにより、基板２１への水分の浸入を確実に防止することができる。また、ワイヤレス送信器においては、基体２６とバネ２７、突起受け部２７Ａとが一体成型された中カバー部材２２を用いることから、別部材としてのバネを設ける必要がなく、低コストでありながら、高い防水性能を発揮することができる。
【００２３】
また、このワイヤレス送信器においては、本体部１１に、中カバー部材２２との接合部の内側近傍領域であって基板２１の主面よりも大きい領域の周囲にわたって防水壁１６を設けていることから、より高い防水性能を実現することができる。
【００２４】
さらに、このワイヤレス送信器においては、本体部１１に、中カバー部材２２との接合部よりも高い位置に基板２１を支持するための基板支持部材１８を設けていることから、より確実に基板２１への水分の浸入を防止することができる。
【００２５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００２６】
【図１】本発明の実施形態として示すワイヤレス送信器の概略外観構成を示す（ａ）は平面図であり、（ｂ）は側面図であり、（ｃ）は正面図である。
【図２】本発明の実施形態として示すワイヤレス送信器の詳細構成を示す分解斜視図である。
【図３】図２中Ｘ−Ｘ断面図である。
【符号の説明】
【００２７】
１１  本体部
１２  押しボタン部材
１２ａ  突起
１３  ベース部材
１４  一次電池
１５  蓋部材
１６  防水壁
１７  ネジ穴
１８  基板支持部材
２１  基板
２２  中カバー部材
２３，２５  ネジ
２４  スイッチ
２６  基体
２７  バネ
【図１】
0004677867.tif 000002
【図２】
0004677867.tif 000003
【図３】
0004677867.tif 000004